(57)【要約】【課題】軽量燃焼機関が超過速度又は自然発火状態に入った時の制御されたスローダウン装置及び方法を提供する。【解決手段】制御されたスローダウン法は、好ましくはエンジン速度が所定のエンジン回転数に対する活性速度を超えた時に開始される。ひとたび開始すれば、制御されたスローダウン法は、自然発火状態を分断し、エンジンを制御された状態でスローダウンするために点火タイミングとスパーク比操作の組み合せを用いる。好ましくは、制御されたスローダウン法は全体的な点火制御方法の一部に過ぎず、その分野で知られたいくつかの異なる点火タイミング方法の一つに結合し、または利用される。【選択図】図３
2007154876.tif 000002
【特許請求の範囲】
【請求項１】
エンジン速度信号を提供するセンサと、
前記エンジン速度信号を受け取るためのセンサと結合した入力回路と、電子プロセッサと、出力回路とを有する制御回路と、
前記出力回路と結合した高電圧点火パルスをスパークプラグに供給するための点火コイルと、からなるクランクシャフトとスパークプラグとを備えた軽量燃焼機関のための点火装置であって、
もし前記エンジン速度信号がエンジン速度が所定のエンジン回転数に対する活性速度以上であることを示した場合に、前記電子プロセッサが前記点火パルスの点火タイミングとスパーク比を操作する制御されたスローダウン法を実行して、エンジンが制御されてスローダウンすることを特徴とする点火装置。
【請求項２】
前記制御されたスローダウン法が、前記点火タイミングをインクリメンタルに遅らせることで全体的にエンジンを制御下にもっていく第一フェーズを含むことを特徴とする請求項１記載の点火装置。
【請求項３】
前記制御されたスローダウン法が、自然発火状態を分断するために点火タイミングとスパーク比操作との組み合せを利用して全体的にエンジンを制御下にもっていこうと試みる第二フェーズを含むことを特徴とする請求項１記載の点火装置。
【請求項４】
前記制御されたスローダウン法が、前記点火タイミングをゆっくり操作してエンジンスピードを通常の規制速度近くのレベルまで引き上げるように全体的に試みる第三フェーズを含むことを特徴とする請求項１記載の点火装置。
【請求項５】
（ａ）エンジン速度を測定し、
（ｂ）前記エンジン速度を活性速度と比較し、
（ｃ）前記エンジン速度が所定のエンジン回転数に対する前記活性速度を超えた時に制御されたスローダウン法を初期化し、
前記制御されたスローダウン法は、
（ｉ）エンジンに供給される一つ以上のスパークの点火タイミングを操作し、
（ｉｉ）エンジンに供給される一つ以上のスパークのスパーク比を操作し、前記制御されたスローダウン法が制御された状態でエンジン速度をスローダウンするステップからなる軽量燃焼機関と共に用いる点火制御方法。
【請求項６】
前記活性速度がエンジンの通常規制速度以上であることを特徴とする請求項５記載の方法。
【請求項７】
前記活性速度が包括的に９、５００RPMから１１、０００RPMの範囲であることを特徴とする請求項６記載の方法。
【請求項８】
前記制御されたスローダウン法が、インクリメンタルに前記点火タイミングを遅らせることでエンジンを制御下にもちこむように全体的に試みる第一フェーズを含むことを特徴とする請求項５記載の方法。
【請求項９】
前記第一フェーズが現在のエンジン速度と第一目標値とを比較し、もし前記エンジン速度が前記第一目標値より大きく、かつ前記第一フェーズのエンジン回転数が所定量未満であれば、第一レート遅れに従って前記点火タイミングが遅れ、もし前記現在のエンジン速度値が第一目標値以下であれば、前記第一フェーズを出ることを特徴とする請求項８記載の方法。
【請求項１０】
前記第一目標値が包括的に８、０００RPMから９、０００RPMの範囲内であることを特徴とする請求項９記載の方法。
【請求項１１】
もし前記第一フェーズのエンジン回転数が所定量以上である場合、前記制御されたスローダウン法が終了することを特徴とする請求項９記載の方法。
【請求項１２】
前記制御されたスローダウン法が全体的に自然発火状態を分断するために点火タイミングとスパーク比操作との組み合せを利用して全体的にエンジンを制御下にもっていこうと試みる第二フェーズを含むことを特徴とする請求項５記載の方法。
【請求項１３】
前記第二フェーズが現在のエンジン速度値と第二目標値とを比較し、もし前記現在のエンジン速度値が前記第二目標値より大きい場合、前記点火タイミングは第二レート遅れに従って遅れ、もし前記現在のエンジン速度値が第二目標値以下の場合、前記点火タイミングを第二レート進みに従って進ませることを特徴とする請求項１２記載の方法。
【請求項１４】
前記第二目標値が包括的に７、５００RPMから８、５００RPMの範囲内であることを特徴とする請求項１３記載の方法。
【請求項１５】
前記第二フェーズが全体的に包括的に１：１から１：５の範囲内である複数のスパーク比を利用することを特徴とする請求項１２記載の方法。
【請求項１６】
前記制御されたスローダウン法が、前記点火タイミングをゆっくり操作してエンジンスピードを通常の規制速度近くのレベルまで引き上げるように全体的に試みる第三フェーズを含むことを特徴とする請求項５記載の方法。
【請求項１７】
前記第三フェーズが、現在の点火タイミング値と所望の点火タイミング値とを比較し、もし前記現在の点火タイミング値が前記所望の点火タイミング値より進んでいる場合、前記点火タイミングを第三レート遅れに従い遅らせ、もし前記現在の点火タイミング値が前記所望の点火タイミング値より遅れている場合、第三レート進みに従って前記点火タイミングを進めることを特徴とする請求項１６記載の方法。
【請求項１８】
前記所望の点火タイミング値が包括的にTDC前２０度から35度の範囲であることを特徴とする請求項１７記載の方法。
【請求項１９】
前記第三フェーズが、前記通常の規制速度近くの動作速度と所望の点火タイミングでエンジンを動かすための複数の目標速度を利用することを特徴とする請求項１６記載の方法。
【請求項２０】
前記制御されたスローダウン法が、全体的に自然発火状態を解決するために開始されることを特徴とする請求項５記載の方法。
【発明の詳細な説明】
【技術分野】
【０００１】
本発明は、全体的に軽量燃焼機関の点火装置に関し、より詳細には過度のエンジン速度を制限するための点火制御回路及び方法に関するものである。
【背景技術】
【０００２】
ここで用いられる「軽量燃焼機関」という用語は、広義には自動車以外のすべてのタイプの燃焼機関を含み、携帯型動力工具や芝生と庭の設備や芝刈り機や雑草刈り込み機や縁かがり機やチェーンソーや噴射式除雪機や水上バイクやボートやスノーモービルやオートバイや全地形万能車等に用いられる２または４ストロークエンジンに限定されない。ほとんどの軽量燃焼機関は、望ましくない損傷や突発故障を避けエンジンが過度の速度にならないように、いくつかの種類のエンジン速度制限装置を有する。
【発明の開示】
【発明が解決しようとする課題】
【０００３】
例えば、エンジンが所定の最大速度を超えた時に、単に燃焼開始のスパークを燃焼室に送るのを止めることでエンジンの速度を制限する装置を軽量燃焼機関に備えることが知られている。この方法は通常効果的であるが、一定の動作条件下で、たとえ点火装置がスパークを提供しなくてもエンジンに意図しない点火が生じることがある。この状況は一般的に「自然発火」と言われ、例えば「ディーゼリング」、「バックファイアリング」、「アクティブラジカル燃焼」といった状況を含めることができる。
【０００４】
一般的に、自然発火はエンジンが高温で走行している時、及び／又は燃焼室に存在するエネルギーの量がスパーク無しで空気／燃料のチャージを発火できるほどの圧縮比である時に発生する。例えば、高速走行中のエンジンが突然停止した時に、空気／燃料チャージに隣接して発火するほど十分に熱い時にエンジン内にホットスポット又はグロープラグ効果が発生する。これは、燃焼室の圧力が高いレベルである圧縮行程中には特に正しい。
【課題を解決するための手段】
【０００５】
一つの実施例によれば、クランクシャフトとスパークプラグと点火装置とを有する軽量燃焼機関が提供される。前記点火装置は、一般的にエンジン速度信号を提供するセンサと、制御回路とスパークプラグに高電圧点火パルスを提供するための点火プラグとを備える。もしエンジン速度信号がエンジン速度が所定の回転数を超えた活性速度以上であることを示した場合、制御されたスローダウン法が実行される。
【０００６】
別の実施例によれば、軽量燃焼機関と共に用いる点火制御法が提供される。この方法は、（ａ）エンジン速度を測定するステップと、（ｂ）エンジン速度を活性速度と比較するステップと、（ｃ）エンジン速度が所定のエンジン回転数に対する活性速度を超えた時に制御されたスローダウン法を開始するステップと、からなる。前記制御されたスローダウン法はエンジン速度を制御された方法でスローダウンするために、点火タイミングとスパーク比を操作する。
【０００７】
制御されたスローダウン法及び／又はここに開示された点火制御回路の少なくとも幾つかの潜在的な目的、機能、特徴は、エンジンが過度の速度状態又は自然発火に入った時、長期に及ぶ過度のエンジン速度や損傷やバックファイアやブルーフレームディスチャージやアフターブームを避けて、エンジンを制御してスローダウンする方法を提供することと、工業的に組立時に相対的に単純で経済的で長寿命で耐用年数の長い点火装置と点火制御回路を提供することとを含む。
【発明を実施するための最良の形態】
【０００８】
制御されたスローダウン法は、軽量燃焼機関の過度のエンジン速度を制限して、望ましくないエンジンや運転者などへの損傷を回避することができる。好ましくは、制御されたスローダウン法は、より大きなスパーク点火装置の一部である点火制御回路によって自動的に実行される電子命令の形で実現される。以下の段落で、制御されたスローダウン法を利用できるスパーク点火装置と点火制御回路の例を記載するが、それらは説明のための実例であって、多数の他のシステムや回路を、代わりに利用することができる。
【０００９】
点火装置
図１を参照して、ここで開示される制御されたスローダウン法に利用可能な軽量燃焼機関の点火装置１０を例として示す。点火装置１０は、好ましくはフライホイール１２と相互作用し、一般的に制御回路１４と、センサ又は入力巻き線１６と、一次と二次巻き線１８，４８を有する点火コイルとを備えた容量性の放電型点火装置である。前記フライホイール１２は、エンジンのクランクシャフト（図示せず）と結合してエンジンの出力の下で軸２０回りに回転する。回転の慣性を用いることで、フライホイールはエンジンの速度による変動をやわらげ、それによってより一定の均等な出力を提供する。フライホイール１２は、フライホイールの外周近傍に位置する磁性部分２２を有する。ひとたびフライホイールが回転すると、これらの磁性部分２２は回転し、電磁気的にエンジン速度センサ、今回の場合特に入力巻き線１６と相互作用をして、フライホイール１２の回転速度と比例した電圧が入力巻き線によって誘導される。
【００１０】
点火制御回路
図２を参照して、制御されたスローダウン法を利用して過度のエンジン速度を制限可能な点火制御回路１４を例として示す。点火制御回路１４は入力巻き線１６と一次巻き線１８と相互作用をし、所望の点火タイミングに従って主としてスパークプラグ２４の高電圧点火パルスを蓄え、渡す役割を担う。点火制御回路１４は、もちろん、その他の仕事も達成し、一般的に電子プロセッサ４０、主放電容量４２、スイッチングサイリスタ４４、キルスイッチ４６を備える。
【００１１】
電子プロセッサ４０は、好ましくは例えば制御されたスローダウン法と同様に全体的な点火タイミングを操作するためのファームウエアや他の命令を保存できる１０２４Ｋｂのメモリが利用可能なＭｉｃｒｏｃｈｉｐ社製のモデル＃１２５０９といった、８ピン、４ＭＨｚプロセッサである。「電子プロセッサ」という用語は、広義にはすべてのタイプのマイクロコントローラ、マイクロプロセッサや、電子命令を実行できる他の電子プロセッシングデバイス、そしてディジタルとアナログ両方のプロセッサを含む。電子プロセッサの１番ピンと４番ピンは、入力巻き線１６と結合しており、入力巻き線から誘導された電圧が電子プロセッサに電力を供給する。電圧が入力巻き線１６に誘導されると、主スイッチサイリスタ４４が非導通状態であると仮定して、電流がダイオードを通って流れ、主放電容量４２を充電する。主放電容量４２は電子プロセッサ４０がサイリスタ４４の状態を変更するまで蓄えた電荷を保持し、その時点で容量は蓄えた電荷を放出して当業者には既知のごとく高電圧点火パルスを二次巻き線４８に生成する。
【００１２】
５番ピンもまた入力巻き線１６と結合し、エンジン速度を示すエンジン速度信号を受け取る。このエンジン速度信号は、所望の点火タイミングを計算するために使用でき、より詳細には米国特許出願番号１０／１８６、５２２と１０／７６５、４１５に示し、参考のためにこの明細書に添付する。エンジン速度信号は、制御されたスローダウン法でも使用され、詳細は後述する。６番ピンはキルスイッチ４６と結合し、これはエンジンをシャットダウンするためのマニュアルオーバーライドとして働く。７番ピンは、好ましくはサイリスタ４４のゲートと結合し、サイリスタの状態を制御する点火トリガー信号を伝達する。「トリガー信号」という用語は、ここでは広義には送信すれば容量性放電点火装置ではなく、点火制御回路が高電圧点火パルスをスパークプラグに伝達するようにさせるすべての種類の電子信号を含む。７番ピンのトリガー信号がＬｏｗの時、サイリスタ４４は非導電状態であって、容量４２は充電可能となる。トリガー信号がＨｉｇｈの時、サイリスタは導電状態となり、容量は放電される。このように、電子プロセッサ４０がトリガー信号によってサイリスタ４４の導電状態を制御することで容量４２の放電を制御する。最後に、８番ピンはグランドに繋がっている。
【００１３】
点火制御回路１４の一般的な操作において、回転するフライホイール１２が入力巻き線１６に電圧を誘導し、それは幾つかの機能を発揮する。ｉ）主放電容量４２を充電すること。ｉｉ）電子プロセッサ４０に電力を供給すること。ｉｉｉ）電子プロセッサにエンジン速度信号を提供すること。主放電容量４２を充電する時に、電子プロセッサ４０は実施すべき点火タイミング計算を含む点火プロセスの異なる様相を制御する一連の命令を実行する。電子プロセッサ４０は、次に計算した点火タイミングに従って、７番ピンにサイリスタ４４をオンにするトリガー信号を出力する。ひとたびサイリスタ４４が導通状態になれば、電圧は一次巻き線１８に発生し、それは二次巻き線４８に高電圧点火パルスを誘導する。この高電圧点火パルスは、次にスパークプラグ２４に伝達され、そこでスパークギャップ間でアーク放電が発生する。このように、燃焼プロセスが始まる。もしいつでもキルスイッチ４６が働けば、２００４年９月３０日出願の参考のためにこの明細書に添付する米国特許出願番号１０／９５５、１０８の方法を含む幾つかのシャットダウン方法の一つを開始することができる。
【００１４】
制御されたスローダウン法
制御されたスローダウン法は、一般的に軽量燃焼機関が過度の速度状態又は自然発火状態に入った時に呼び出されて軽量燃焼機関を制御下におくためのサブルーチンを考慮に入れることができる。好ましくは、制御されたスローダウン法は点火制御方法全体の一部であって、種々の技術的に知られた異なる点火タイミング方法の一つと組み合わされ、又は利用されることができる。従って、記載された既知の点火制御方法、例えば上記米国特許出願の代わりに、以下の記載が直接制御されたスローダウン法に向けられる。しかし、以下のことを理解すべきである。スローダウン法の使用はここに記載された特定の点火装置、点火制御回路又は点火制御方法の実施例に限定されるものではなく、それらは例示目的で提供されたものである。
【００１５】
図３ないし図５には、模範的な２ストロークエンジンに用いられた制御されたスローダウン法６０の実施例のステップを説明したフローチャートを示す。ありがたい事に、制御されたスローダウン法は４ストロークエンジンでも使用可能であり、エンジンに特有の種々の操作パラメータの変更（エンジン回転数など）は、特定のエンジンに順応させて行う必要がある。
【００１６】
制御されたスローダウン法は、好ましくはエンジン速度信号から決定されるエンジン速度が所定のエンジン回転数に対する活性速度を超えた時に開始される。活性速度は、通常のエンジン操作時に支配する速度より大きくすべきであり、もしエンジンが必要なエンジン回転数に対する活性速度を超えた場合に、エンジンは過度の速度又は自然発火状態で動作することが判る。好ましい実施例において、スローダウン法６０は４つの連続したエンジン回転に対してエンジン速度が９、５００ＲＰＭから１１、０００ＲＰＭ（より好ましくは約１０、２００ＲＰＭ）の範囲の活性速度を超えると開始される。この活性速度の好ましい範囲は、一般的に約９、５００ＲＰＭの好ましき規制された速度より高い。所定のエンジン回転数（先行した例では４つ）を１と等しくすることは可能であり、その場合瞬間的にしろ、過度の活性速度が制御されたスローダウン法を開始させる。
【００１７】
前述の米国出願で開示された模範的な点火制御方法によれば、最後の又はエンジンの全体的な点火タイミングを指示するために、オーバーオールタイミング値が用いられる。オーバーオールタイミング値は、通常動作時の点火タイミングを現わすアドバンス値と、通常特定の動作シーケンスに従って決定されるベースタイム値とを加えて決定される。従って、オーバーオールタイミング値は、アドバンス値とベースタイム値の合計であって、好ましくはＴＤＣ前４５度（上死中央）からＴＤＣ後１５度の間で変化する。アドバンス値をベースタイム値と組み合わせてオーバーオールタイミング値を出すこの技術は、単に好ましい点火制御方法であって、異なる点火制御方法や技術のいずれか一つと共に用いることのできる制御されたスローダウン法の使用のために要求されるものではないことに注意する。
【００１８】
制御されたスローダウン法６０は、エンジン速度が第一目標値以下に下がるが所定のエンジン回転数となるまで点火タイミングを増加的に遅らせてエンジンを制御下におくように試みる第一段階（ステップ６２から６８）を含む。ステップ６２において、異なる変数やカウンターやフラッグなどがリセット又は初期化され、エンジン回転数カウンタもゼロにリセットされる。ステップ６４で現在のエンジン速度と好ましき実施例において８、０００から９、０００RPM、より望ましくは約８、５００RPMの第一目標値とを比較する。もし速度が第一目標値より大きければ、ステップ６６でエンジンが第一フェーズの始まりから２００エンジン回転数を経験したかを測定する。もしエンジン回転数が２００以上で現在のエンジン速度がまだ第一目標値を超えている場合には、制御されたスローダウン法６０が効果的に過度の速度又は自然発火環境に対抗できず、制御されたスローダウン法は取り下げられる。例えば上記米国特許出願番号１０／９５５、１０８に開示されているように、この時点で制御されたシャットダウン方法を始めることができる。もしステップ６６でエンジン回転数が２００未満と測定された場合、第一レート遅れ（好ましき実施例において０．３度／回転）に従ってステップ６８で点火タイミングは減少し、又は停滞し、エンジン回転数カウンターはインクリメントする。制御されたスローダウン法６０の第一フェーズはステップ６４が現在のエンジン速度が第一目標値以下又はエンジン回転数が２００を超えるまで継続する。最大点火タイミング遅れは、ステップ６８が何回実行されようとも、タイミングが例えばTDC後１５度といった特定量を超えては決して遅れないようにセットされる。
【００１９】
制御されたスローダウン法６０はさらに第二フェーズを含み、それは過剰速度又は自然発火状態を分断するために点火タイミングとスパーク比操作の組み合せを利用してエンジンを制御下におくように試みるものであって、一般的にステップ７０から１４０を含む。エンジン回転数カウンタはステップ70でゼロにリセットされ、ステップ７２で例えば１００といった所定のエンジン回転数と比較される。エンジン回転数が１００未満である限りは、ステップ７４で現在のエンジン速度を読み、それを好ましき実施例では７，５００RPMから８、５００RPMより好ましくは約８、０００RPMの範囲の第二目標値と比較する。もし現在のエンジン速度読取値が第二目標値以下の場合、ステップ７６が第二レート進み（好ましき実施例で１度／回転）に従って点火タイミングを進め、エンジン回転数をインクリメントする。逆に言えば、もし現在のエンジン速度読取値が第二目標値より大きければ、ステップ７８で第二レート遅れ（好ましき実施例で１度／回転）に従って点火タイミングを遅らせ、エンジン回転数をインクリメントする。例えばTDC前３５度といった最大タイミング進みや例えばTDC後１５度といった最大タイミング遅れを設定することができる。このステップ７０から７８のサイクルはエンジン回転数がステップ７２で用いられる所定数を超えるまで継続する。
【００２０】
ステップ７２と同様に、ステップ９０でエンジン回転数が、例えばここでは３００である、特定のエンジン回転の所定数以下であるかどうか判定する。従って、エンジン回転数が１００から２９９回転の間にある期間、ステップ９２は第一スパーク比に従ってスパークプラグ２４に伝達されるスパーク比を制御する。例えば、ステップ９２は好ましくはスパーク比をエンジンの回転毎にスパークがスパークプラグに送られる標準の１：１から、４回のエンジンの回転のうち3回スパークさせる３：４に変更する。これはエンジンをスローダウンするのを助ける「スキップしたスパーク」という結果になるが、スキップしたスパーク回転の間のその蓄積のせいで、より強い空気／燃料チャージを生じさせる。この空気／燃料チャージの蓄積も、エンジン燃焼室をクールダウンさせ、従って自然発火状態を減じる又は停止させる。
【００２１】
同様の全体的なアプローチがステップ９４、９６で用いられ、そこではエンジン回転数が３００から４４９の間にある期間、スパーク比は１：２を維持し、ステップ９８、１００ではエンジン回転数が４５０から５４９の間の期間、スパーク比１：３を維持し、ステップ１０２、１０４ではエンジン回転数が５５０から５５９の間の期間、スパーク比１：４を維持し、ステップ１０６，１０８ではエンジン回転数が６０１から６４９の間、スパーク比１：５を維持する。ステップ９０から１０８の各ペアを実行するのに続いて、ステップ７４から７８が現在のエンジン速度と第二目標値（８、０００RPM）との比較に基づいてエンジンの点火タイミングを操作することは好ましい。
【００２２】
制御されたスローダウン法６０は、ゆっくり点火タイミングを操作することで全体的にエンジン速度を通常の規制された速度近くまでレベルアップするように試みる第三フェーズ（ステップ１２０から１４６）を有する。
【００２３】
ステップ１２０でエンジン回転数カウンタはゼロにリセットされ、ステップ１２２でエンジン回転数は所定のエンジン回転数（好ましき実施例において１００）と比較される。もしエンジン回転数が１００以下の場合、制御はステップ１２４に移動し、そこで現在のエンジン速度が新しい目標値、例えば８、０００RPMと比較される。現在のエンジン速度が８、０００RPM以上の場合には、第三フェーズはステップ１２６で一回のエンジン回転に対しスパーク無しとすることでエンジンをスローダウンさせるように試みる。もしエンジンがすでに８、０００回転未満の速度で動作している場合、エンジンをそれ以上スローダウンする必要がないので、制御はステップ１２８に移動し、そこで点火タイミングは所望の点火タイミング値に向けて増加調整され、エンジン回転数カウンタはインクリメントされる。好ましい実施例において、所望の点火タイミング値はＴＤＣ前２０度から３５度であって、最も好ましい実施例においてＴＤＣ前約28度である。本例において、現在の点火タイミングがＴＤＣ前２８度より進んでいる場合、点火タイミングは第３レートの遅れ、例えば２０分の１度回転だけ遅らせる。もし現在の点火タイミングがTDC前２８度以上遅れた場合、点火タイミングは第三レート進みに従って進ませる。前記第三レート遅れと進みは、同じであっても互いに異なっていても良い。ひとたび所望のタイミング値（本例ではTDC前28度）に到達すると、ステップ１２８の引き続きの実行は、点火タイミングを変化させない。ステップ１２２から１２８のこの組み合せは、第３フェーズの最初の１００エンジン回転に対し繰り返され、速度制限として８、０００RPMが用いられ、前記方法はエンジンが速度超過するとスパークを切る。
【００２４】
同様に、ステップ１３０から１３４は次の１００エンジン回転に対して繰り返されるが、より高いエンジン速度（本例で８、５００RPM）が用いられ、ステップ１３６から１４０は続く１００エンジン回転に対し実行され、９、０００RPMの速度制限が使用され、最後にステップ１４２から１４６は続く３００エンジン回転に対し繰り返され、９、５００RPMの速度が用いられる。このすべては同時に発生し、ステップ１２８は所望の点火タイミング値に向かって増加的に点火タイミングを操作する。従って、第三フェーズは６００エンジン回転の期間を超えて目標速度を８、０００RPMから９、５００RPMへゆっくり増加させ、第三フェーズが終わると、エンジンは通常のエンジン規制速度に近い速度で動作し、点火タイミングは所望の点火タイミング値に従って発火する。ひとたび第三フェーズの６００エンジン回転が発生すると、制御されたスローダウン法６０は終了し、通常の点火制御方法が再開する。
【００２５】
上述したステップに加えて、いくつかの追加の出口ポイントやステップが制御されたスローダウン法を通じて挿入されることが好ましい。例えば、もし現在のエンジン速度が５、０００RPM未満に落ちた時に、エンジンは十分にスローダウンしたと推定され、制御されたスローダウン法６０は終了し、通常の点火制御が再開される。また、制御されたスローダウン法の実行中に、もしエンジン速度が突然活性化レベル（上の例で１０、２００RPM）まで加速した場合、制御されたスローダウン法６０はこれら過度のエンジン速度に対抗するには無効であると推定される。その場合、制御されたスローダウン法６０は終了し、例えば先に述べた制御されたシャットダウン方法が引き継いでエンジンをシャットダウンする。もちろん、制御されたスローダウン法の操作においていくつかの可能な方法がモニターされ、終了する。
【００２６】
従って、本発明に拠れば、ここに特定された目的と利益とを達成するために、軽量燃焼機関に使用される制御されたスローダウン法と点火制御回路が提供される。もちろん、前述の記載が本願発明の好ましき実施例であって、本願発明はこの特定の実施例に限定されないことは理解されるであろう。種々の変更は当業者にとって明らかであり、かかる変更は本願発明の範囲内である。例えば、種々のエンジン速度値、エンジン回転数、点火タイミングの進みや遅れ、スパーク比など制御されたスローダウン法を通じて用いられるものは、例示目的でのみ提供され、上記特定の実施例ごとに変更することができる。所定のエンジン回転数に対し計算した平均エンジン速度を、単一の読取りに代えて用いることができる。さらに、高電圧点火パルスは、例えばフライバックタイプ点火装置といった、容量性放電点火装置以外の装置によっても生成できる。また、単に例示の方法ステップとして示したものであるから、操作ステップを加えることも、取り外すことも、置換することも、変更することなども可能である。
【００２７】
本明細書と特許請求の範囲で用いられる用語「例えば」や動詞「からなる」「有する」「含む」その他の動詞の形態は、一つ以上の構成要素や項目と併せて用いられる際に、オープンエンドなものと解釈され、排他的なものと考えてはならない。例えば「およそ」「近く」「近似の」といった程度を示す用語は、特定の数を含むのみならず、実体的にその数字に関係する特性又は用途に影響を与える変動分を含む。範囲と併せて用いられる際の用語「包括的な」は、範囲内の制限や境界を含むことを意図する。他の用語は、異なる解釈が要求される内容のものに用いられない限り、最も広義で妥当な意味で解釈される。
【図面の簡単な説明】
【００２８】
【図１】軽量燃焼機関と共に用いる点火装置の実施例の部分的に内部を見せた部分平面図である。
【図２】図１の点火装置と共に用いる点火制御回路の実施例の回路図である。
【図３】図２の点火制御回路と共に用いられる制御されたシャットダウン法の実施例を説明するフローチャートである。
【図４】図２の点火制御回路と共に用いられる制御されたシャットダウン法の実施例を説明するフローチャートである。
【図５】図２の点火制御回路と共に用いられる制御されたシャットダウン法の実施例を説明するフローチャートである。
【符号の説明】
【００２９】
１０  点火装置
１２  フライホイール
１４  制御回路
１６  入力巻き線
１８  一次巻き線
２０  軸
２２  磁性部分
２４  スパークプラグ
４０  電子プロセッサ
４２  主放電容量
４４  スイッチングサイリスタ
４６  キルスイッチ
４８  二次巻き線
６０  制御されたスローダウン法
【図１】
2007154876.tif 000003
【図２】
2007154876.tif 000004
【図３】
2007154876.tif 000005
【図４】
2007154876.tif 000006
【図５】
2007154876.tif 000007